【誤訳訂正書】
【提出日】平成18年2月9日(2006.2.9)
【誤訳訂正１】
【訂正対象書類名】明細書
【訂正対象項目名】全文
【訂正方法】変更
【訂正の内容】
【書類名】      明細書
【発明の名称】  有意なスペクトル帯域のためのパルスプラズマ放射装置
【特許請求の範囲】
【請求項１】  生物学的物質を予め選択された周波数で発光させるための装置であって、
半透明材料で作られた円筒形状の外壁により画成された全体的に細長い形の真空管と、
前記管の一端に形成されたアノードと、
前記管の他端に形成されたカソードと、
前記アノードに隣接した前記管の第１部分の周りに形成された管状の導通シールドであって、前記アノードに電気的に接続された当該管状シールドと、
前記カソードに隣接した前記管の第２部分に近接して設けられた反射表面であって、前記カソードに電気的に接続された導電体を備えた当該反射表面と、
前記管の前記第２部分の前記反射表面末端に沿って整列する全体的に平面状の磁石片であって、前記管に概ね直交する磁気方向に沿って横方向に着磁された当該磁石片と、
前記管状シールドと共に前記管の前記第１部分を受容するのに適したハンドル、および、前記反射表面および前記磁石片と共に前記管の第２部分上で前記ハンドルから延在させたリフレクタを含む容器と、
前記アノードおよび前記カソード間に接続された電気的励起源であって、前記生物学的物質の電気化学的反応の周波数領域で前記電気的励起を変調するためのパルス発生手段を含む当該励起源、および
重量で
Ｈ２Ｏ＝６６％
ＣＯ２＝２４％
Ｎ２  ＝  ３％
Ｈ２ＣＯ３＝３％
の分子組成を＋／−５％で含む前記管内の気体と、
を具えた装置。
【請求項２】  前記電気的励起源は、コンデンサによってブリッジされた直列ダイオードによって形成された増倍電圧整流器を含み、および、
前記管は、硼珪酸塩で形成されている請求項１に記載の装置。
【請求項３】  生物学的物質を予め選択された電磁周波数スペクトルで発光させるための装置であって、
ガラス製の円筒形状の外壁により画成され、その内部に水蒸気、二酸化炭素、分子性窒素および炭酸ハイカーボンを気体として含む、全体的に細長い半透明の真空管と、
前記管の一端に形成されたアノード、および、前記管の他端に形成されたカソードと、
前記アノードに隣接した前記管の第１部分の周りに形成された管状の導通シールドであって、前記アノードに電気的に接続された当該管状シールドと、
前記カソードに隣接した前記管の第２部分に近接して設けられた反射表面であって、前記カソードに電気的に接続された導電体を備えた当該反射表面と、
前記管の前記第２部分の前記反射表面末端に沿って整列する全体的に平面状の磁石片であって、前記管に全体的に直交する磁気方向に沿って横方向に着磁された当該磁石片、および、
前記管状シールドと共に前記管の前記第１部分を受容するのに適したハンドル、および、前記反射表面および前記磁石片と共に前記管の第２部分上で前記ハンドルから延在させたリフレクタを含む容器と、
を具えた装置。
【請求項４】  前記管内の前記気体の水蒸気、二酸化炭素、分子性窒素および炭酸ハイカーボンは、重量比で、
Ｈ２Ｏ＝６６％
ＣＯ２＝２４％
Ｎ２  ＝  ３％
Ｈ２ＣＯ３＝３％
の化学的組成を＋／−５％で含む請求項４に記載の装置。
【請求項５】  前記アノードおよび前記カソード間に接続された電気的励起源をさらに具え、当該励起源は、前記生物学的物質の電気化学的反応の周波数領域で前記電気的励起を変調するためのパルス発生手段を含む請求項４に記載の装置。
【請求項６】  前記電気的励起源は、コンデンサによってブリッジされた直列ダイオードによって形成された増倍電圧整流器を含む請求項５に記載の装置。
【発明の詳細な説明】
【０００１】
（発明の分野）
本発明は、パルスプラズマ装置に関し、さらに詳しくは、有機たんぱく質類内でガスをイオン化するために合致したプラズマチューブに関する。
【０００２】
（従来技術の説明）
最も小さな生体系、生体細胞の進化の途上において、分極した細胞膜が、進化され、湿式電気回路の電位および電流を維持するためにコンデンサーおよびイオンポンプとして作用する。従って、例えば、カリウム（Ｋ）およびナトリウム（Ｎａ）の細胞膜の選択的透過性が、Ｎａ＋／Ｋ＋ポンプ、即ち、平衡を維持するようにその細胞膜を横切る選択されたイオンを移動させる起電力として知られる電位差をもたらす。その様々な特殊な形においてこの厳しく管理される平衡が、生命にとって必須となる。例えば、ニューロンにおいて、細胞壁の電位は、電位型Ｎａ＋ポンプとして作用し、食物（選択された成分）を細胞内などに移送する機構のように細胞増殖において外部刺激に応じて神経信号を移送させる。
さらに、電位は、実質的にすべての細胞機能において密接な関係で伴われている。負担がかかる骨の圧電信号は、その増殖を促進させるための機構として広く認識されている。顕微鏡観察レベルでこの効果は、コラーゲン、エラスチン、またはケラチンのようないくつかの長鎖分子のひずみ変形により得られる。引っ張られる場合、圧電電位変化を示し、それから、変化し、靭帯の接合部の増殖、部分的な増殖、および他の組織の変化を促す。
【０００３】
従って、すべての生物学的方法における電気的性質は、骨形成を促進させることについてのブライトンらの米国特許第４，４３０，９９９号、電気パルスによる骨組織の刺激についてのクロンベルグによる米国特許第５，２１７，００９号などに説明されるように、確立しており、様々な治療的機構において生かされている。同様に、また、細胞における「湿式回路」の類推は、確立している、例えば、アルベルトらの「ＭＯＬＥＣＵＬＡＲ  ＢＩＯＬＯＧＹ  ＯＦ  ＴＨＥ  ＣＥＬＬ、第２版（１９８９年）、Ｇａｒｌａｎｄ  Ｐｕｂｌｉｓｈｉｎｇ社、Ｎ．Ｙ（ＮＹ）」。
細胞におけるイオンの性質は、様々な双極分子、即ち、電気的に中性であるがその端に電荷を保持する分子と相互に作用する。それから、これらは、水の弱い極性のある構造と相互作用し、それにより、その「湿式」の回路をもたらす。従って、この生きた細胞の電気的システムは、細胞生物学のすべてのモデルに含まれなければならない。
そしてまた、その電位は、電子の励起状態に依存している。いずれかの元素の回りの電子は、基準、即ち、基底状態の場合、そのイオン電位は、最大となることは周知である。従って、その電子軌道状態は、イオン電位に影響を及ぼし、結果として、様々な分子結合の解離が、電子励起状態に依存する。それから、電磁エネルギーにおいて、各元素における個別の放射吸収バンドは、低域の電子状態と高域の電子状態との間の電位差を形成する。
【０００４】
また、個別の周波数スペクトルと電子軌道状態との間の同様な交換は、化学的な反応を促進ためのメカニズムとして有用である。従って、例えば、メラニンを必要とするいくつかの生物学的方法は、紫外線放射の存在下において、促進され、様々な樹脂の反応が、特別な周波数の光により促進され、多くの他の反応は、光に関連付けられている。従って、特有な反応を促進させるための特有の周波数の光の効用は、確立されている。細胞レベルで、比較的相当低い特徴的な周波数の観念は、如何なる「湿式」の回路において固有のものである。例えば、細胞壁でイオン交換は、最速でニュートロンを横切る神経信号の伝播に関連付けられる低電解周波数である。ほぼ同等の時定数は、神経筋肉反応、精神的処理期間、および生物学的構造における他の特徴的な周波数に関連付けられる。典型的には、これらの反応の周波数帯域は、所謂、スケーリング則がその構造の範囲に対する動特性を制限するスケール（ｓｃａｌｅ）により、制約される。簡単に、生物は、それ自体を分裂させるように速く移動できない。
スケールにより、この生物学的周波数の範囲は、電子軌道に関連付けられる電磁気周波数とは全く切り離されている。従って、様々な光スペクトルに対するある程度の「耐性」は、いろいろな背景において機能システムを考慮しても生物学的構造内に備えている。しかしながら、この同様な耐性は、合成修復、または交替処理の有効性を制限する。
【０００５】
上述の理由について、先行技術のメカニズムは、最適とは言えず、生物学的変化に影響を及ぼすと考えられる。最も有効的な結果を得るためにこれらの異種の周波数の範囲双方における信号が、第１に元素の反応性を促進させ、第２に、その反応を細胞生物学と整合性が取れる形態に導くように生じることが必要とされる。以前は、効果的に適応されなかった周波数の範囲において、広範囲である。従って、双方の周波数範囲における有効に動作するシステムが、要望され、それは、この中で開示されるそのようなシステムにおける一つの実現である。
【０００６】
（発明の概要）
従って、有機的な構成分子類内のガスが周期的にイオン化され生物の表面に放射するパルスプラズマチューブシステムを提供することが本発明の概ねの意図および目的である。
【０００７】
本発明の他の目的は、生物学的な構成分子類内に光周波を発するに適合するパルスプラズマチューブを提供することを目的とする。
【０００８】
本発明のまたさらなる目的は、皮膚の表面を若がえらせるために有用なプラズマ放出装置を提供することを目的とする。
【０００９】
本発明のさらなる目的は、湿式の生物的な回路における周波数の範囲における脈拍数で放出するのに適したパルスプラズマ装置を提供することを目的とする。
【００１０】
簡潔に、これらおよび他の目的は、オシレーターによって周期的に動作される電圧増幅回路の中で接続されているプラズマ・チューブを介して本発明内でに達成される。プラズマ・チューブは、カソード、および、それから反射されるに至るカソードの箔、またはシート形の魅力的な面に加えて、イオン化流れを導く手助けするために磁石に隣接する放電軸線に沿って整列されているアノードを含んでいる。この形式では、強い放電領域が、生物学の表面に光をあてるためのチューブ内に創り出される。
当業者は、そのチューブ内のガス放電が、チューブ内のガス元素を特徴付ける独特の周波数で発光することに関連づけられることの良さが分かるだろう。従って、そのチューブの強い放電領域は、そのチューブ内のガスのイオン化に関連付けられる個別の周波数で隣接した表面上に放射するだろう。
次の比率の配合（H20=66%、CO2=24%、N2=3%、H2C03=3%）のガスでチューブを満たすことによって、放電周波数スペクトルが生じ、生体物質の吸収スペクトルと一致する。従って、チューブは、照光された生物学的構造における化学反応を促進するように有用となり、細胞生物学を形成する「湿式」の回路の特徴的な周波数で行なわれる。
それから、これらの周波数領域における放電の脈動は、さらにそのプロセスの有効性を高める。
【００１１】
その当業者は、元素Ｏ．Ｃ、Ｈ、および、Ｎ、について蛋白質のような生体物質の構造が、その重量の約９６％含むことをよく理解するだろう。これらの元素のスペクトル吸収帯は、それらのそれぞれの分子結合において、従って、上記のガスグループのプラズマ発光と合致するだろう。さらに、典型的な蛋白質は、極性のある部分、極性のない部分、半極性の部分、およびイオン化される部分、または電荷、または選択されたスペクトルに対しても特定の方法で反応する側鎖を含む。この場合において、そのプラズマにおけるＨ２０、Ｃ０２、および、Ｎ２の部分が、Ｈ２Ｃ０３(炭酸)発光スペクトルが通過されることに加えて放射線マトリックス、即ち、バックグラウンド放射線のレベルをもたらす。それから、これは、高くなったバックグランドレベルに加えて、炭水化物鎖の最も基礎的な基本成分のスペクトル標識を放射し、重合体、または複合の長い形態内で相互作用する。
行うために、上述のガス放電管は、そのチューブのアノードが保持される円筒状端部と、カソード端子に隣接する略放物面鏡とにより形成される概ね、細長い反射型のハウジング内に密封されている。それから、カソードおよびアノード端子を横切り接続される増倍電圧整流器は、そのチューブの放電電位まで駆動され、そのチューブのガスの特徴的な発光をもたらす。この電位は、電位差計の設定電圧により変更され得る飽和制限相互間でスインギングを作るように修正され電圧制御されるオシレータのパルス幅で繰り返される。
【００１２】
（好ましい実施例の説明）
図１〜図５に示すように、本発明のシステムは、全体を参照符号１０で示され、電源コード４１によって電源４０に接続されるプラズマチューブアッセンブリ２０を含むものである。好ましくは、そのプラズマチューブアッセンブリは、手で持てる装置とされたものであり、共通の内部を形成するように反射用シールド２２から延在したハンドル２１によって特徴づけられるものである。この共通の内部には、プラズマチューブ２５が収容され、このチュ−ブ２５は、反射用シールド２２の直ぐ下に位置するチューブ端部内のカソード２６と、ハンドル２１の内部のアノード２７とを具える。チューブ２５は、管状のガラス壁、すなわち、容器２８によってその形状が形成され、容器の両端部ではそれぞれを貫いてカソード２６とアノード２７がその内部に突出している。そのアノード端部は、ハンドル２１内に収納され、アノード２７と隣接するプラズマ領域を囲む、銅のような導電性材料の筒状のシールド２９を含む。
【００１３】
チューブの他端では、反射用シールド２２の直ぐ下に、磁石片３２が管状壁に沿って挿入され、プラズマビームＰＢに直交する位置に合わされたＮ−Ｓ磁界を有し、カソード２６に隣接した高放電領域に重なる。さらに、他の導電シールドシート３３は、アルミフォイルセグメント形態のものであり、磁石片３２と管表面との間に配される。そして、シールド２９および３３は、電源４０の電源コード４１を形成する陽極の出力リード４２および陰極のリード４３に接続され、また、リード４２およびリード４３は、アノード２７、カソード２６に接続している。
【００１４】
チューブ２５は、以下の配合（重量％：Ｈ２０＝６６％、Ｃ０２＝２４％、Ｎ２＝３％、Ｈ２Ｃ０３＝３％、＋／−５％以内に抑えられる）のガスの一群を収容している。勿論、これらのガスは、十分な電位が電極に印加されるならば、イオン化を可能とするために極低圧である。イオン化のとき、各ガスは、電子軌道内の遷移に関連付けられる特有の光の周波のスペクトルを発する。
この光のスペクトルは、反射用フォイルシート３３の下にあるカソード２６のすぐそばにあるプラズマビームＰＢの部分に沿って特に極端に強い。ビームＰＢにおける同様な部分が、磁石片３２の曲げ効果に曝され、リフレクター２２とは反対方向に発光レベルを高めることとなる。
ガス（Ｎ２、ＣＯ２，Ｈ２Ｏ，即ち、分子の窒素、二酸化炭素、水）のスペクトル標識が、実質的にすべての生体物質のバックグランドスペクトルを形成することに留意すべきである。炭酸（Ｈ２ＣＯ３）のスペクトル標識は重畳され、炭素化合物の最も簡単な分子結合の一つであり、実質的にすべてのたんぱく質、即ち、アミノ酸鎖においてさらにまた存在する。それから、この発光されたスペクトルの重ね合わせは、隣接する組織ＴＩに放射線を照射するために有用であり、その組織内の選択された電子軌道をより高い状態に励起させる。
【００１５】
先のメカニズムは、分極されるそれらの分子セグメントの分極電圧における増大と同時に化学反応性を高める効果を有している。従って、その電荷は、その両側にあるので放射スペクトルの吸収によって、細胞壁を挟んだ電位は、増加される。それから、これは、その「湿式」の回路の周波数領域において起こる細胞イオン間への電荷の移動を増大させる。
上述の効果がその細胞湿式回路の周波数帯域で確実にあるように、電源回路４０は、正の信号Ｅ＋と接地との間に接続された電位差計６２によって約６５Ｈｚの発振周波数に設定された電圧制御発振器６１によりゲート制御されるパルスステージ６０を含んでいる。それから、電位差計６２のワイパーは、その出力がその飽和制限相互間において励振されるオペアンプ６３の入力に接続されている発振器６１の発振周波数を設定する。この方法で、一連の正のパルスＰ＋、および、負のパルスＰ−が、アンプ６３の出力で形成され、各振幅が飽和制限により決定され、各継続時間が発振サイクルにより設定される。それから、この信号は、電力増幅器６５により増幅され、その後、変圧器４５の一次側に供給される。次に、二次側が、縦続式倍電圧器、即ち、コンデンサー５２により相互接続されるダイオード５１−１からダイオード５１−ｎまでの格子として形成されている乗算器５０に接続されている。それから、その最後のダイオード５１−ｎ段は、電源コード４１の陽極のリード４２に接続し、一方、接地は、他のリード４３に接続される。
【００１６】
カソード２６とアノード２７とを挟む電位がチューブ電離における破壊電圧を超過したならば、インピーダンスにおける随伴する減少が起こることに気ずかれよう。この破壊は、通過範囲を細胞湿式回路の周波数を含むように共に設定する整形回路５５におけるフィルターリング部品とともに、コンデンサー５２により決定される周波数帯域とを必要とする。この方法において、その細胞の電気的機能との共振は、プラズマバーストにより発光される光スペクトルの効果をさらに高めるように達成される。
従って、例えば、アンプ６５の出力端から放出されたパルス列Ｐ１−Ｐｎ
は、各パルス間で一群の周波数Ｆ１〜Ｆｎを励起させ、その信号形状ＰＶは、そのチューブの電極間を横切って電離破壊の間に重畳して示す。それから、その信号ＰＶの振動は、実際的には、発光スペクトルは、結合が不可能ということとは全くかけ離れているので発光強度における変化で表されている。従って、周波数Ｆ１〜Ｆｎ、即ち、プラズマの強度の比較的広い範囲を許容することにより、信号ＰＶは、細胞の湿式回路の周波数範囲内に変調されるだろう。紫外線領域（２８０ナノメータ）における発光を妨げるためにチューブ壁２８の材料構造は、普通のガラスまたは石英ではなく、ホウケイ酸塩を含んでも良い。
明らかに、多くの変更および変形が上述の示唆の精神から逸脱することなく達成され得る。従って、本発明の範囲は、添付される請求の範囲により専ら判断されることが意図されている。
【図面の簡単な説明】
【図１】
人体に隣接して配されるその発明の放射装置を説明する図である。
【図２】
インスタント放射装置に有用な発明のプラズマチューブの上面図である。
【図３】
図２に示されるプラズマチューブの側面図である。
【図４】
プラズマチューブを励起させるうえで有用なパルスパワー回路の回路図である。
【図５】
前記プラズマチューブに作用される電気的イオン化レベルのパルス列をグラフで説明する図である。